(57)【要約】【課題】モバイル電子通信装置の一部又は全体を覆い、その装置のハウジングや敏感な電子部品を好適に保護することが可能な保護ケースを提供する。【解決手段】ユーザ入力インタフェースを有するモバイル電子通信装置１０用の保護ケースであって、リアカバーとの連結を通じモバイル電子通信装置収容用の空間を発生させる開口部付きフロントカバーと、フロントカバー・リアカバー間に配された透明膜１４０と、フロントカバー・透明膜間にありフロントカバーに対して別体な可圧縮部材１５０と、を備える。発生する空間内に装置１０を収容したとき、フロントカバーの開口部がユーザ入力インタフェースに整列する。更にフロントカバーをリアカバーに連結したとき、同装置のユーザ入力インタフェースが透明膜１４０で覆われると共に、透明膜１４０・フロントカバー間が透明膜１４０によってシールされる。【選択図】図２
2014179992.tif 000002
【特許請求の範囲】
【請求項１】
ユーザ入力インタフェースを有するモバイル電子通信装置用の保護ケースであって、
リアカバーと、リアカバーとの連結を通じモバイル電子通信装置収容用の空間を発生させる開口部付きフロントカバーと、フロントカバー・リアカバー間に配された透明膜と、フロントカバー・透明膜間にありフロントカバーに対して別体な可圧縮部材と、を備え、
上記空間内に上記装置を収容したとき、フロントカバーの開口部が同装置のユーザ入力インタフェースに整列し、
上記空間内に上記装置を収容しフロントカバーをリアカバーに連結したとき、同装置のユーザ入力インタフェースが透明膜で覆われると共に、透明膜・フロントカバー間が透明膜によってシールされる保護ケース。
【請求項２】
請求項１記載の保護ケースであって、その可圧縮部材が透明膜に取り付けられている保護ケース。
【請求項３】
請求項１記載の保護ケースであって、その透明膜がフロントカバーに取り付けられていない保護ケース。
【請求項４】
請求項１記載の保護ケースであって、その透明膜及び可圧縮部材がフロントカバー及びリアカバーから可脱な保護ケース。
【請求項５】
請求項１記載の保護ケースであって、上記空間内に上記装置を収容しフロントカバーをリアカバーに連結したとき、フロントカバーの開口部周辺にてフロントカバーの第１背面が可圧縮部材によってシールされる保護ケース。
【請求項６】
請求項５記載の保護ケースであって、
そのリアカバーが、フロントカバーをリアカバーに連結したときその頂面がフロントカバーに面することとなる周壁と、上記空間又はその一部を囲うよう周壁の頂面から上方に向けて延びるリブと、を有し、
上記空間内に上記装置を収容しフロントカバーをリアカバーに連結したとき、そのリブによってフロントカバーの第２背面がシールされる保護ケース。
【請求項７】
請求項６記載の保護ケースであって、そのフロントカバーの頂面から見てフロントカバーの第２背面が第１背面より遠い位置にある保護ケース。
【請求項８】
請求項６記載の保護ケースであって、自保護ケースの中心点から見てフロントカバーの第１背面が第２背面より近い位置にある保護ケース。
【請求項９】
請求項１記載の保護ケースであって、
そのリアカバーが、フロントカバーをリアカバーに連結したときその頂面がフロントカバーに面することとなる周壁と、上記空間又はその一部を囲うよう周壁の頂面から上方に向けて延びるリブと、を有し、
上記空間内に上記装置を収容しフロントカバーをリアカバーに連結したとき、そのリブによってフロントカバーの背面がシールされる保護ケース。
【請求項１０】
請求項１記載の保護ケースであって、そのフロントカバーの第１表面と可圧縮部材との間に第１シール、フロントカバーの第２表面とリアカバーの周壁に備わるリブ部との間に第２シールがそれぞれ生じる保護ケース。
【請求項１１】
請求項１０記載の保護ケースであって、そのフロントカバーの頂面から見て第２シールが第１シールより遠い位置にある保護ケース。
【請求項１２】
請求項１０記載の保護ケースであって、自保護ケースの中心点から見て第１シールが第２シールより近い位置にある保護ケース。
【請求項１３】
請求項１記載の保護ケースであって、そのフロントカバーをリアカバーに連結する連結部材を１個又は複数個備える保護ケース。
【請求項１４】
請求項１３記載の保護ケースであって、上記空間内に上記装置を収容しフロントカバーをリアカバーに連結したとき、その連結部材がフロントカバーを可圧縮部材方向に付勢し、透明膜・フロントカバー間シールを増強する保護ケース。
【請求項１５】
請求項１記載の保護ケースであって、その可圧縮部材が透明膜に接着剤で接着されている保護ケース。
【請求項１６】
請求項１記載の保護ケースであって、その可圧縮部材が発泡素材で形成されている保護ケース。
【請求項１７】
請求項１記載の保護ケースであって、その可圧縮部材がウレタン素材で形成されている保護ケース。
【請求項１８】
請求項１記載の保護ケースであって、上記空間内に上記装置を収容しフロントカバーをリアカバーに連結したとき、フロントカバーの開口部及び上記装置のユーザ入力インタフェースに対し整列することとなるよう、その可圧縮部材が開口部を有する保護ケース。
【請求項１９】
請求項１記載の保護ケースであって、その透明膜又はその一部がリアカバー又はその一部に載る保護ケース。
【請求項２０】
請求項１記載の保護ケースであって、
その透明膜が、ボディ部と、そのボディ部から延びる１個又は複数個のタブ部と、を有し、
そのタブ部が、リアカバーの周壁又はその一部の上に延びる保護ケース。
【請求項２１】
請求項２０記載の保護ケースであって、そのタブ部が、リアカバーの周壁に設けられた窪みに収まる保護ケース。
【請求項２２】
請求項１記載の保護ケースであって、
その透明膜が、ボディ部と、そのボディ部から延びる１個又は複数個のタブ部と、を有し、
上記空間内に上記装置を収容しフロントカバーをリアカバーに連結したとき、そのタブ部が、上記装置の周縁を越えて延びる保護ケース。
【請求項２３】
請求項１記載の保護ケースであって、
その透明膜が、ボディ部と、そのボディ部から延びる１個又は複数個のタブ部と、個々のタブ部を通る１個又は複数個の孔と、を有し、
そのリアカバーが、上記装置を上記空間内に収容しフロントカバーをリアカバーに連結したとき透明膜側の対応する孔に整列する位置に達する１個又は複数個の孔を有し、
そのフロントカバーが、上記装置を上記空間内に収容しフロントカバーをリアカバーに連結したとき透明膜側の対応する孔を通りリアカバー側の対応する孔内に至る位置に達する１個又は複数個の突起を有する保護ケース。
【請求項２４】
請求項２３記載の保護ケースであって、そのリアカバーの孔が同リアカバーの周壁上にある保護ケース。
【請求項２５】
請求項１記載の保護ケースであって、
その透明膜が、自透明膜を貫通する１個又は複数個の孔を有し、
そのリアカバーが、上記装置を上記空間内に収容しフロントカバーをリアカバーに連結したとき透明膜側の対応する孔に整列する位置に達する１個又は複数個の孔を有し、
そのフロントカバーが、上記装置を上記空間内に収容しフロントカバーをリアカバーに連結したとき透明膜側の対応する孔を通りリアカバー側の対応する孔内に至る位置に達する１個又は複数個の突起を有する保護ケース。
【請求項２６】
請求項１記載の保護ケースであって、上記装置が自保護ケースから別体なユニットである保護ケース。
【請求項２７】
請求項１記載の保護ケースであって、上記装置のユーザ入力インタフェースがタッチスクリーンディスプレイである保護ケース。
【請求項２８】
ユーザ入力インタフェースを有するモバイル電子通信装置用の保護ケースを製造する方法であって、
リアカバーを準備するステップと、
リアカバーとの連結を通じモバイル電子通信装置収容用の空間を発生させる開口部付きフロントカバーとして、上記空間内に上記装置を収容したときフロントカバーの開口部が上記ユーザ入力インタフェースに整列するものを準備するステップと、
フロントカバー・リアカバー間に配された透明膜として、上記空間内に上記装置を収容しフロントカバーをリアカバーに連結したときユーザ入力インタフェースが透明膜で覆われるものを準備するステップと、
フロントカバー・透明膜間にありフロントカバーに対して別体な可圧縮部材として、上記空間内に上記装置を収容しフロントカバーをリアカバーに連結したとき透明膜・フロントカバー間が透明膜によってシールされるものを準備するステップと、
を有する方法。
【発明の詳細な説明】
【技術分野】
【０００１】
本発明はケース、特にモバイル電子通信装置用ケースに関する。
【背景技術】
【０００２】
スマートホン、タブレット等のモバイル電子通信装置内には、一般に、敏感でデリケートな電子部品をはじめとする種々の部品が配されている。可搬性を有する装置であるので、その取り落としによる物理的衝撃乃至損傷を被る等、物理的な損傷を受ける懸念がある。そのため、この種の装置のハウジングは、ある程度までは物理的衝撃に耐えうるように構成される。しかし、美観を向上させるため見栄えのする仕上げを施すと、そうした構造的無欠性が往々にして満たされなくなる。見栄えがするように仕上げられたハウジング上では、些細な傷等の損傷が目立ちやすい。例えば、スマートホンのなかには、ハウジングとして高研磨金属バックパネルが使用されるものがある。そうしたパネル上の窪みやひっかき傷は非常に目立ちやすい。
【発明の概要】
【発明が解決しようとする課題】
【０００３】
そのため、モバイル電子通信装置の一部又は全体を覆い、その装置のハウジングや敏感な電子部品を好適に保護することが可能な保護ケースが求められている。
【課題を解決するための手段】
【０００４】
本発明は、ユーザ入力インタフェースを有するモバイル電子通信装置用の保護ケースとして実施することが可能である。本実施形態に係る保護ケースは、リアカバーと、フロントカバーと、透明膜と、可圧縮部材と、を備える。フロントカバーは、リアカバーと連結させうる構成とする。フロントカバー及びリアカバーは、互いに連結させたときに、モバイル電子通信装置収容用の空間が生じるように構成する。フロントカバーには、上掲の空間内に同装置を収容したとき同装置のユーザ入力インタフェースに整列するよう、開口部を設ける。透明膜は、上掲の空間内に上掲の装置を収容しフロントカバーをリアカバーに連結したとき、同装置のユーザ入力インタフェースが透明膜で覆われることとなるよう、フロントカバー・リアカバー間に配する。可圧縮部材は、フロントカバー・透明膜間に配し、フロントカバーに対して別体とする。透明膜は、上掲の空間内に同装置を収容しフロントカバーをリアカバーに連結したとき、透明膜・フロントカバー間がその透明膜でシールされる構成とする。
【０００５】
実施に当たっては、可圧縮部材を透明膜に取り付けるとよい。
【０００６】
実施に当たって、透明膜がフロントカバーに取り付けられていない構成としてもよい。
【０００７】
実施に当たって、透明膜及び可圧縮部材がフロントカバー及びリアカバーから可脱な構成としてもよい。
【０００８】
実施に当たって、上記空間内に上記装置を収容しフロントカバーをリアカバーに連結したとき、フロントカバーの開口部周辺にてフロントカバーの第１背面が可圧縮部材によってシールされる構成にしてもよい。
【０００９】
例えば、リアカバーが、フロントカバーをリアカバーに連結したときその頂面がフロントカバーに面することとなる周壁と、上記空間又はその一部を囲うよう周壁の頂面から上方に向けて延びるリブと、を有し、上記空間内に上記装置を収容しフロントカバーをリアカバーに連結したとき、そのリブによってフロントカバーの第２背面がシールされる構成にするとよい。
【００１０】
ことに、フロントカバーの頂面から見てフロントカバーの第２背面が第１背面より遠い位置にある構成にするとよい。
【００１１】
或いは、自保護ケースの中心点から見てフロントカバーの第１背面が第２背面より近い位置にある構成にするとよい。
【００１２】
実施に当たって、リアカバーが、フロントカバーをリアカバーに連結したときその頂面がフロントカバーに面することとなる周壁と、上記空間又はその一部を囲うよう周壁の頂面から上方に向けて延びるリブと、を有し、上記空間内に上記装置を収容しフロントカバーをリアカバーに連結したとき、そのリブによってフロントカバーの背面がシールされる構成にしてもよい。
【００１３】
実施に当たって、フロントカバーの第１表面と可圧縮部材との間に第１シール、フロントカバーの第２表面とリアカバーの周壁に備わるリブ部との間に第２シールがそれぞれ生じる構成にしてもよい。例えば、フロントカバーの頂面から見て第２シールが第１シールより遠い位置にある構成とする。或いは、自保護ケースの中心点から見て第１シールが第２シールより近い位置にある構成とする。
【００１４】
実施に当たって、フロントカバーをリアカバーに連結する連結部材を１個又は複数個備える構成にしてもよい。
【００１５】
例えば、上記空間内に上記装置を収容しフロントカバーをリアカバーに連結したとき、連結部材がフロントカバーを可圧縮部材方向に付勢し、透明膜・フロントカバー間シールを増強する構成にするとよい。
【００１６】
実施に当たって、可圧縮部材を透明膜に接着剤で接着してもよい。
【００１７】
実施に当たって、可圧縮部材を発泡素材で形成してもよい。
【００１８】
実施に当たって、可圧縮部材をウレタン素材で形成してもよい。
【００１９】
実施に当たって、上記空間内に上記装置を収容しフロントカバーをリアカバーに連結したとき、フロントカバーの開口部及び上記装置のユーザ入力インタフェースに対し整列することとなるよう、可圧縮部材が開口部を有する構成にしてもよい。
【００２０】
実施に当たって、透明膜又はその一部がリアカバー又はその一部に載る構成にしてもよい。
【００２１】
実施に当たって、透明膜が、ボディ部と、そのボディ部から延びる１個又は複数個のタブ部と、を有し、そのタブ部が、リアカバーの周壁又はその一部の上に延びる構成としてもよい。
【００２２】
例えば、タブ部が、リアカバーの周壁に設けられた窪みに収まる構成にするとよい。
【００２３】
実施に当たって、透明膜が、ボディ部と、そのボディ部から延びる１個又は複数個のタブ部と、を有し、上記空間内に上記装置を収容しフロントカバーをリアカバーに連結したとき、そのタブ部が、上記装置の周縁を越えて延びる構成にしてもよい。
【００２４】
実施に当たって、透明膜が、ボディ部と、そのボディ部から延びる１個又は複数個のタブ部と、個々のタブ部を通る１個又は複数個の孔と、を有し、リアカバーが、上記装置を上記空間内に収容しフロントカバーをリアカバーに連結したとき透明膜側の対応する孔に整列する位置に達する１個又は複数個の孔を有し、フロントカバーが、上記装置を上記空間内に収容しフロントカバーをリアカバーに連結したとき透明膜側の対応する孔を通りリアカバー側の対応する孔内に至る位置に達する１個又は複数個の突起を有する構成にしてもよい。
【００２５】
例えば、リアカバーの孔が同リアカバーの周壁上にある構成にするとよい。
【００２６】
実施に当たっては、透明膜が、自透明膜を貫通する１個又は複数個の孔を有し、リアカバーが、上記装置を上記空間内に収容しフロントカバーをリアカバーに連結したとき透明膜側の対応する孔に整列する位置に達する１個又は複数個の孔を有し、フロントカバーが、上記装置を上記空間内に収容しフロントカバーをリアカバーに連結したとき透明膜側の対応する孔を通りリアカバー側の対応する孔内に至る位置に達する１個又は複数個の突起を有する構成にするとよい。
【００２７】
実施に当たっては、上記装置が自保護ケースから別体なユニットである構成にするとよい。
【００２８】
実施に当たっては、上記装置のユーザ入力インタフェースをタッチスクリーンディスプレイにするとよい。
【００２９】
本発明は、ユーザ入力インタフェースを有するモバイル電子通信装置用の保護ケースを製造する方法としても実施可能である。本実施形態に係る方法は、リアカバーを準備するステップと、リアカバーとの連結を通じモバイル電子通信装置収容用の空間を発生させる開口部付きフロントカバーとして、上記空間内に上記装置を収容したときフロントカバーの開口部が上記ユーザ入力インタフェースに整列するものを準備するステップと、フロントカバー・リアカバー間に配された透明膜として、上記空間内に上記装置を収容しフロントカバーをリアカバーに連結したときユーザ入力インタフェースが透明膜で覆われるものを準備するステップと、フロントカバー・透明膜間にありフロントカバーに対して別体な可圧縮部材として、上記空間内に上記装置を収容しフロントカバーをリアカバーに連結したとき透明膜・フロントカバー間が透明膜によってシールされるものを準備するステップと、を有する。
【００３０】
本発明は、第１・第２ポジション間で可動なスイッチを有するモバイル電子通信装置用の筐体としても実施可能である。本実施形態に係る筐体は、保護ケース及び可回動部材を備える。保護ケースはモバイル電子通信装置収容用のモバイル電子通信装置収容空間を提供する。そのフロントカバーには、上記装置を上記空間内に収容したとき上記装置のユーザ入力インタフェースと整列するよう開口部を設ける。可回動部材は、保護ケースの周壁を貫く窪み内に配置する。可回動部材は、上記装置が上記空間内に収容されている状態にてスイッチの第１・第２ポジション間で切り替えうるよう、上記装置のスイッチと係合させる。
【００３１】
可回動部材は、例えば、第１方向に回動させるとスイッチが第１ポジションから第２ポジションへと切り替わり、第２方向に回動させるとスイッチが第２ポジションから第１ポジションへと切り替わるように構成する。
【００３２】
可回動部材は、例えば第１及び第２係合面を有する。第１係合面は、可回動部材の第１方向回動を通じスイッチを第２ポジションに切り替える際にそのスイッチと係合するような面である。第２係合面は、可回動部材の第２方向回動を通じスイッチを第１ポジションに切り替える際にそのスイッチと係合するような面である。
【００３３】
可回動部材は、例えば、第１部分と、その第１部分及び上記装置のスイッチと機能的に係合する第２部分と、を有する構成にする。可回動部材の第１部分は、同第１部分を回動させうるよう、少なくとも部分的に保護ケース外に出る構成とする。可回動部材は、第１部分の回動に伴い第２部分が回動し、その回動によりスイッチが第１・第２ポジション間で切り替わるように構成する。
【００３４】
例えば、第１及び第２部分が機能的に係合することとなるよう、第１及び第２部分のうち一方に窪み、他方にその窪みに収まるタブを設ける。
【００３５】
可回動部材には、例えば、スイッチが第１ポジションにあるのかそれとも第２ポジションにあるのかを指し示すインジケータを設ける。
【００３６】
保護ケースには、例えば、可回動部材のポジション、特にスイッチの第２ポジションに対応するポジションを指し示すマーカを設ける。
【図面の簡単な説明】
【００３７】
【図１Ａ】本発明の一実施形態に係る保護ケースの斜視図である。
【図１Ｂ】本発明の一実施形態に係る保護ケースの側面図である。
【図２】本発明の一実施形態に係る保護ケースの分解図である。
【図３Ａ】本発明の一実施形態における保護ケース用フロントカバーを示す図である。
【図３Ｂ】本発明の一実施形態における保護ケース用リアカバーを示す図である。
【図４Ａ】本発明の一実施形態に係る保護ケースの断面図である。
【図４Ｂ】図４Ａに示した保護ケースの一部を示す図である。
【図５Ａ】本発明の一実施形態に係る保護ケースの一部を示す斜視図である。
【図５Ｂ】本発明の一実施形態に係る保護ケースの一部を示す斜視図である。
【図５Ｃ】本発明の一実施形態に係る保護ケースの一部を示す斜視図である。
【図６Ａ】本発明の一実施形態における保護ケース用可回動部材の斜視図である。
【図６Ｂ】本発明の一実施形態における保護ケース用可回動部材の斜視図である。
【図６Ｃ】本発明の一実施形態における保護ケース用可回動部材の斜視図である。
【図６Ｄ】本発明の一実施形態における保護ケース用可回動部材の斜視図である。
【図７Ａ】本発明の一実施形態に関し保護ケース外の一部を示す斜視図である。
【図７Ｂ】本発明の一実施形態に関し保護ケース外の一部を示す斜視図である。
【図７Ｃ】本発明の一実施形態に関し保護ケース外の一部を示す斜視図である。
【図８Ａ】本発明の一実施形態に関し保護ケース内の一部を示す斜視図である。
【図８Ｂ】本発明の一実施形態に関し保護ケース内の一部を示す斜視図である。
【図８Ｃ】本発明の一実施形態に関し保護ケース内の一部を示す斜視図である。
【図９Ａ】本発明の一実施形態における可回動部材の斜視図である。
【図９Ｂ】本発明の一実施形態における可回動部材の斜視図である。
【発明を実施するための形態】
【００３８】
図１Ａ及び図１Ｂに、本発明の一実施形態に係るモバイル電子通信装置１０用保護ケース１００を示す。このケース１００はフロントカバー１１０及びリアカバー１２０を備えている。フロントカバー１１０及びリアカバー１２０は互いに連結することが可能である。その連結によって、保護ケース１００内にはモバイル電子通信装置１０収容用の空間が生じる。ここでいうモバイル電子通信装置１０とは、例えばスマートホン（例．ｉＰｈｏｎｅ（登録商標））、その他の携帯電話、タブレット（例．ｉＰａｄ（登録商標））、携帯情報端末（ＰＤＡ）、ラップトップ端末、ＭＰ３プレイヤ、その他の音楽プレイヤ、ビデオプレイヤ、その他のメディアプレイヤ、ナビゲーション装置、テレマティクス装置等といった可搬型電子装置のことである。こうしたモバイル電子通信装置１０には、一般に、表示デバイス（例．ＬＣＤスクリーン）、モバイル電子通信装置１０に対する入力乃至やりとりのためのユーザ入力インタフェース（例．キーボード、タッチスクリーンインタフェース）等が備わる。ここでは、モバイル電子通信装置１０の一例として、表示デバイス及びユーザ入力インタフェースを兼ねるタッチスクリーンを備えるものを想定する。
【００３９】
図１Ａ〜図５Ｃに示すフロントカバー１１０やリアカバー１２０は様々な素材で形成することができる。特に、カバー１１０・１２０間連結で生じた空間内に収まるモバイル電子通信装置を耐衝撃性、耐液性等の面で補強できる素材が、フロントカバー１１０やリアカバー１２０の形成素材としてふさわしい。フロントカバー１１０やリアカバー１２０を例えば複数通りの部材で構成した場合、その形成に使用される素材も都合複数通りとなろう。また、リジッド、セミリジッド、フレキシブルの別を問わず、モバイル電子通信装置１０の保護（例．耐衝撃性、耐液性の向上）に幾ばくかでも資する素材は、フロントカバー１１０やリアカバー１２０の形成に適するといえる。そうした素材の例としては、プラスチック、金属、ポリカーボネート、ナイロン、液晶ポリマ、ゴム、熱可塑性ウレタン、ポリエチレン、ポリプロピレン、その組合せ、その混合物等を挙げることができる。
【００４０】
図示例における保護ケース１００は、モバイル電子通信装置１０をほぼ完全に覆う形態となっている。具体的には、フロントカバー１１０及びリアカバー１２０を互いに連結するとモバイル電子通信装置１０が概ね収まる空間が生じる形態である。保護ケース１００は、また、モバイル電子通信装置１０が部分的にしか収まらない形態にすることもできる。その場合、モバイル電子通信装置１０の一部が覆われずに残ることとなる。
【００４１】
リアカバー１２０は、周壁１２１ａを有するアウタボディ１２１や、周壁（側壁）１３０ａを有するライナ１３０を備えている。ライナ１３０は周壁１２１ａで画定される空洞１２２内にあり、アウタボディ１２１の周壁１２１ａ及びライナ１３０の周壁１３０ａでリアカバー１２０の周壁１２０ａが形成されている。ライナ１３０は弾性素材、例えばプラスチック、金属、ポリカーボネート、ナイロン、液晶ポリマ、ゴム、熱可塑性ウレタン、ポリエチレン、ポリプロピレン、その組合せ、その混合物等で形成するとよい。リアカバー１２０及びライナ１３０は、オーバモールドプロセスの使用等を通じ一体に形成してもよいし、互いに別体に形成した後接合してもよい。ライナ１３０をリアカバー１２０から取り外せる構成にしてもよい。
【００４２】
モバイル電子通信装置１０を保護ケース１００内に実装乃至配置する形態は様々な形態にすることができる。図示例では、モバイル電子通信装置１０をリアカバー１２０内に収める形態を採用している。そのため、周壁１２０ａによって、モバイル電子通信装置１０（の一部）が収まる空洞１３５が画定されている。これに代え、ファスナ、接着剤等の手段でモバイル電子通信装置１０を保護ケース１００に固定する、といった手段で、同装置１０をケース１００に実装する形態にしてもよい。
【００４３】
フロントカバー１１０及びリアカバー１２０を互いに連結乃至嵌合させる形態は様々な形態にすることができる。モバイル電子通信装置１０を保護ケース１００内に好適に収めうる形態であればよい。図示例では、フロントカバー１１０（の一部）がリアカバー１２０の一部、具体的には空洞１２２内に収まるようにしている。より具体的には、フロントカバー１１０に備わるウィング乃至タブ１１６が、ライナ１３０の側壁１３０ａに備わるアルコーブ１３６内に収まる構成となっている。この構成では、タブ１１６をアルコーブ１３６内に入れると、そのタブ１１６に備わるリブ部１１６ｂが、対応するグルーブ１３６ｂ内に収まる。更に、そのアルコーブ１３６の側縁に備わるリッジ１３６ａが、タブ１１６の側縁に備わる対応するグルーブ内に収まる。ご理解頂けるように、このようなフロントカバー１１０・リアカバー１２０間連結形態は一例であり、他の形態での連結も可能である。例えば、リッジ１３６ａをタブ１１６の側縁、グルーブ１３６ｂをアルコーブ１３６の側縁に、リッジ１３６ａがグルーブ１３６ｂに収まるよう設ける形態でもよい。同様に、フロントカバー１１０にアルコーブ１３６を設ける形態や、ライナ１３０にタブ１１６を設ける形態でもよい。
【００４４】
フロントカバー１１０には、モバイル電子通信装置１０の前面にアクセス可能とすべく第１開口部１１２が設けられている。ユーザは、モバイル電子通信装置１０（の一部）を覆う膜１４０越しに、この開口部１１２を介しモバイル電子通信装置１０のユーザ入力インタフェース（例．タッチスクリーンインタフェース）や操作子（群）にアクセスすることができる。フロントカバー１１０には、更に、モバイル電子通信装置１０の他の部分にアクセス可能とすべく第２開口部１１８（複数個でもよい）が設けられている。他の部分とは、例えば後向きカメラ、マイクロホン、接近センサ等のことである。なお、開口部以外のアクセス手段を使用してもよい。
【００４５】
図示例では、フロントカバー１１０及びリアカバー１２０を互いに連結すると、膜１４０の働きもあり、モバイル電子通信装置１０がほぼ完全にくるまれた状態になる。この膜１４０は相応の素材、例えば薄いプラスチックで形成されたシート状の部材であり、モバイル電子通信装置１０とのやりとり、例えばそのタッチスクリーンディスプレイの看取やそこへのタッチをこの膜１４０越しに行うことができる。例えば、モバイル電子通信装置１０のタッチスクリーンディスプレイ上に表示されている画像を、この膜１４０（のうち透明な部分）を介し看取することができる。膜１４０の構成（例．大きさ、厚み、配置、組成）は、モバイル電子通信装置１０のモデルや製造者に応じ定めればよい。
【００４６】
図示例では、膜１４０がモバイル電子通信装置１０又はその保護ケース１００の構成部分（例．フロントカバー１１０やリアカバー１２０）に固定されている。その手段としては、接着剤、表面張力、摩擦、静電吸着、粘性流体、ファスナ（群）、その組合せ等を使用することができる。
【００４７】
これに代え、膜１４０がモバイル電子通信装置１０又はその保護ケース１００に固定されない形態にしてもよい。即ち、膜１４０がフロントカバー１１０やリアカバー１２０に対し別体な形態である。この形態では、フロントカバー１１０及びリアカバー１２０を互いに連結させること（例．クランプやファスナで連結させること）によって、モバイル電子通信装置１０に対する膜１４０の位置関係が所要位置に設定されることとなる。
【００４８】
図示例では、空洞１３５内に収まっているモバイル電子通信装置１０の前面上に膜１４０が位置している。即ち、ユーザがその膜１４０越しにモバイル電子通信装置１０のユーザ入力インタフェースとやりとりできるよう、同装置１０の前面上に配置されている。この例では、その背面（図２で下側に向いている面）がモバイル電子通信装置１０の前面に接する向きで膜１４０が使用されている。
【００４９】
図示例では、空洞１３５内のモバイル電子通信装置１０に対する膜１４０の位置決めのため、保護ケース１００側に整列手段が設けられている。例えば、膜１４０側の対応部分とかみ合うよう、保護ケース１００の一部（例．ライナ１３０）に輪郭窪みを設ける等、その輪郭形状・寸法を工夫している。具体的には、膜１４０側の対応するタブ部１４２が収まるように、ライナ１３０側に窪み１３２が相応個数形成されている。図３Ｂの側壁１３０ａに備わる窪み１３２の個数は２個であり、いずれも空洞１３５から見て外方へと拡がっている。無論、窪み１３２（及びタブ部１４２）の個数が１個又は３個以上の形態での実施も可能である。また、窪み１３２の形状は、対応するタブ部１４２を受け容れ膜１４０を整列させる形状となっている。従って、モバイル電子通信装置１０の前面上に膜１４０を配置すると、その膜１４０のタブ部１４２が窪み１３２の上面１３２ａ上に達する。更に、図示例に係る膜１４０では、タブ部１４２がその膜１４０のボディ部１４８から延びている。このボディ部１４８の寸法及び形状は、モバイル電子通信装置１０又はその一部（例．同装置１０のユーザ入力インタフェース例えばタッチスクリーンディスプレイ）のそれに応じて設定されている。こうした構成では、膜１４０のうちタブ部１４２だけが、側壁１３０ａの上方に或いはモバイル電子通信装置１０の周縁越しに延びる部分となる。
【００５０】
図示例では、フロントカバー１１０側に、複数個（１個でもよい）の突起１１３（例．ピン部材）が設けられている。この突起１１３は、タブ部１４２上の対応する孔１４３を通り（そのタブ部１４２に対して整列している）窪み１３２上の対応する孔１３３内に至るように形成されている。従って、フロントカバー１１０及びリアカバー１２０が互いに連結されている状態では、この突起１１３の働きにより、モバイル電子通信装置１０の上方で膜１４０が整列、保持されることとなる。図示例では突起１１３がフロントカバー１１０と一体に形成されているが、別体の突起をフロントカバー１１０に装着する構成としてもよい。また、こうした手段に代え又は加え、リアカバー１２０側に１個又は複数個の突起、フロントカバー１１０側にそれに対応する窪みを設け、リアカバー１２０側の突起を膜１４０側の孔１４３越しにフロントカバー１１０の窪みに入れるようにしてもよい。
【００５１】
図示例では、フロントカバー１１０及びリアカバー１２０の相互連結（並びに膜１４０によるモバイル電子通信装置１０の被覆）によって防水シールが形成されている。即ち、保護ケース１００の片側（例．同ケース１００の外側）から保護ケース１００の他側（例．同ケース１００の内側）への流体の通過が実質的に阻止されている。また、図示例では、膜１４０・フロントカバー１１０間に可圧縮部材１５０が配され、膜１４０・フロントカバー１１０間シールに使用されている。具体的には、接着剤、ファスナ（群）、その組合せ等によって、可圧縮部材１５０が膜１４０の前面１４０ａに取り付けられている。これと類似の手法で、可圧縮部材１５０を（膜１４０の前面１４０ａにではなく）フロントカバー１１０の背面１１０ａに取り付けるようにしてもよい。或いは、可圧縮部材１５０を膜１４０及びフロントカバー１１０に接触させるに留め、その取付は行わないようにしてもよい（例．可圧縮部材１５０を膜１４０及びフロントカバー１１０に対し別体にしてもよい）。これらの構成では、例えば、可圧縮部材１５０の上面がフロントカバー１１０の背面１１０ａに接し、可圧縮部材１５０とフロントカバー１１０の背面１１０ａの間にシールが形成されることとなる。また、これに加え又は代え、可圧縮部材１５０の下面が膜１４０に当接し可圧縮部材１５０・膜１４０間シールが形成されることとなる。
【００５２】
この可圧縮部材１５０は、フロントカバー１１０をリアカバー１２０に連結したとき膜１４０・フロントカバー１１０間シールを形成するガスケット（例．Ｏリング）として働く。可圧縮部材１５０の形成素材としては発泡素材等、例えばマイクロセルラウレタン（例．ＰＯＲＯＮ（登録商標））を使用することができる。
【００５３】
可圧縮部材１５０の形状及び寸法は、膜１４０の外縁形状及び寸法に応じて設定されている。まず、可圧縮部材１５０は、膜１４０の周全体（又は一部）を巡るように延びている。また、可圧縮部材１５０には第１開口部１５２があり、その位置がフロントカバー１１０の第１開口部１１２に揃えられている。モバイル電子通信装置１０のタッチスクリーンインタフェースに膜１４０越しにアクセスできるようにするためである。更に、図示例における可圧縮部材１５０には第２開口部１５８が１個（複数個でもよい）設けられており、その位置がフロントカバー１１０の第２開口部１１８に揃えられている。モバイル電子通信装置１０の一部（例．前向きカメラ、接近センサ）にアクセスできるようにするためである。従って、可圧縮部材１５０は、この第２開口部１５８に関しシール機能（即ち第１開口部１５２周辺シールとは別のシール機能）を発揮する。また、図示例における可圧縮部材１５０には、モバイル電子通信装置１０の操作子（例．ホームボタン１１）の上方に位置するよう操作子開口部１５１が設けられている。この操作子開口部１５１の位置は膜１４０側の対応する開口部１４１に揃えられている。従って、可圧縮部材１５０は、モバイル電子通信装置１０の操作子周辺に対する個別シール機能（即ち第１開口部１５２周辺シールとは別のシール機能）を発揮する。
【００５４】
図示例におけるフロントカバー１１０は、可圧縮部材１５０、膜１４０又はその双方の整列を支援するよう構成されている。例えば、可圧縮部材１５０が収まるよう凹凸を設ける等、保護ケース１００の一部（例．フロントカバー１１０）の輪郭形状及び寸法が設定されている。具体的には、フロントカバー１１０をリアカバー１２０に連結したとき可圧縮部材１５０（の一部）が収まるような形状及び寸法で、フロントカバー１１０の背面１１０ａに窪み１１０ｂ等が設けられている。こうした構成であるので、フロントカバー１１０をリアカバー１２０に連結すると、窪み１１０ｂの表面１１０ｃが可圧縮部材１５０でシールされることとなる。
【００５５】
図示例におけるライナ１３０、特にその側壁１３０ａには、自ライナ１３０の内縁（その一部でもよい）を巡るようにリブ１３１が設けられている。図示例ではリブ１３１がライナ１３０の内縁全周を巡っている。リブ１３１は、フロントカバー１１０をリアカバー１２０に連結したときフロントカバー１１０と当接することとなるよう、側壁１３０ａの上面から上方に向かい延びている。こうした構成であるので、フロントカバー１１０をリアカバー１２０に連結すると、フロントカバー１１０の背面１１０ａがリブ１３１でシールされることとなる。
【００５６】
図示例におけるリブ１３１は、フロントカバー１１０をリアカバー１２０に連結すると、フロントカバー１１０の背面１１０ａのうち外周面１１０ｄに接触する。こうした構成では、フロントカバー１１０をリアカバー１２０に連結すると、フロントカバー１１０の外周面１１０ｄがリブ１３１でシールされることとなる。リブ１３１は、可圧縮部材１５０を過ぎり位置Ｘにて外周面１１０ｄに接触する。このときリブ１３１が外周面１１０ｄに当接する位置Ｘは、可圧縮部材１５０の上面（前面）と可圧縮部材１５０の下面（背面）又は膜１４０の上面（前面）１４０ａの間にある。リブ１３１は、更に、窪み（群）１３２（の一部）を取り巻くように配されている。この構成では、外周面１１０ｄと側壁１３０ａの間にギャップ（１３２）が発生する。
【００５７】
このように、図示例では、フロントカバー１１０の表面１１０ｃに可圧縮部材１５０によって第１シール（即ち内シール）が、またフロントカバー１１０の外周面１１０ｄにリブ１３１によって第２シール（即ち外シール）が発生する。第２シールが発生する位置は、第１シールのそれに比べ、フロントカバー１１０の上面から遠い位置になる。即ち、第２シールが発生する位置は、第１シールのそれに比べ、リアカバー１２０沿いに奥まった位置になる。
【００５８】
フロントカバー１１０・リアカバー１２０間連結には様々な手法、例えばフリクションフィッティング、スナップフィッティング、クラプシング機構、クランピング／ファスニング部材等を使用することができる。図示例では、連結に備えフロントカバー１１０及びリアカバー１２０を互いに当接させたときに重なり合う位置に達するよう、フロントカバー１１０に孔１１７、リアカバー１２０に孔１３７が設けられている。フロントカバー１１０をリアカバー１２０に連結するに当たっては、１個又は複数個の連結部材、例えばねじ１１７ａ、ボルト等をこれらの孔１１７，１３７に通し締結する。孔１３７（や孔１１７）にはねじ１１７ａと螺合するねじを切っておくのが望ましい。連結部材で締結する位置は保護ケース１００の各隅とするのが望ましい（他の位置でもかまわない）。連結部材からフロントカバー１１０やリアカバー１２０に力が加わるので、フロントカバー１１０を可圧縮部材１５０に押しつけ、透明膜１４０・フロントカバー１１０間シールを形成することができる。連結部材から及ぼされる力ひいてはシール強度は、可圧縮部材１５０・フロントカバー１１０間を流体や塵埃が通り抜けられないよう、十分強くしておくのが望ましい。図示例では、フロントカバー１１０をリアカバー１２０に連結すると、モバイル電子通信装置１０を保持可能な収容空間が形成されることとなる。
【００５９】
モバイル電子通信装置１０には、カメラその他の動画／静止画／データ取得用デバイスを１個複数個設けることができる。保護ケース１００は、そのカメラで自ケース１００外の画像等を撮影することが可能な構成にすることができる。図示例の場合、モバイル電子通信装置１０に備わる後向きカメラのレンズと位置が揃うよう、リアカバー１２０に孔１３９が設けられている。更に、その孔１３９が、カメラレンズ等と位置が揃うように配置された透明部材（例．透光レンズ）によって覆われている。この透明部材は、保護ケース１００と一体に形成される形態にすることも、別途形成後に保護ケース１００に装着される形態にすることも可能である。カメラレンズの上方に位置するよう保護ケース１００に可動ドアを設け、保護ケース１００外にある被写体の画像をカメラで撮影するときに随時開閉させる構成にすることも可能である。また、図示例では、保護ケース１００越しに前向きカメラで画像等を撮影することができるようにフロントカバー１１０が構成されている。具体的には、モバイル電子通信装置１０の前向きカメラにアクセスできるよう、第２開口部１１８等がフロントカバー１１０に設けられている。
【００６０】
モバイル電子通信装置１０には情報提示用のインジケータライト、例えば電源状態表示、通信状態表示、電池状態表示その他の機能（例．ボイスメール新着、電子メール、テキストメッセージ、その他のメッセージ）に関わるインジケータライトを１個又は複数個、同装置１０上の相応の部位に設けることができる。モバイル電子通信装置１０におけるインジケータライトの位置が、保護ケース１００の構成部材例えば膜１４０越しに容易に見えない位置であることもある。図示例では、自ケース１００（又はその一部）を介しインジケータライトが見えるように保護ケース１００が構成されている。具体的には、保護ケース１００のフロントカバー１１０やリアカバー１２０に、モバイル電子通信装置１０からの光を保護ケース１００外に通す透明部分、導光管等が設けられている（複数個でもよい）。透明部分の形成には透明素材又は半透明素材を使用するとよい。この透明部分は、保護ケース１００と一体に形成される形態にすることも、別途形成後に保護ケース１００に装着される形態にすることも可能である。
【００６１】
モバイル電子通信装置１０には、スピーカ、ヘッドホンジャック、音声信号取得用マイクロホン等、オーディオ部材を１個又は複数個設けることができる。図示例では、自ケース１００越しに音声信号がオーディオ部材に伝わるように保護ケース１００が構成されている。具体的には、保護ケース１００のフロントカバー１１０やリアカバー１２０に、１個又は複数個のオーディオ部材に至る孔１２８が設けられている。更に、その孔１２８には、その孔１２８を介しスピーカやマイクロホンジャックにアクセスしたいときに随時開閉させうるよう、ドア１２８ａが設けられている。孔１２８にアクセスできるよう開ければよいので、ドア１２８ａは、ピボット型、スライド型等、様々な形態にすることができる。また、保護ケース１００にフィルム、膜その他の素材、即ちオーディオ部材への又はからの音は通すがオーディオ部材へと流体、塵埃等は通さない素材を、付するようにしてもよい。図示例では、モバイル電子通信装置１０のスピーカ上に位置するよう、膜１４０に孔１４４が設けられている。その孔１４４の上方には、音が孔１４４及び自フィルム１４６を通るようにフィルム１４６が配置されている。このフィルム１４６は、接着剤、ファスナ等を用い膜１４０の背面に取り付けられている。この構成では、フィルム１４６がモバイル電子通信装置１０・膜１４０間に位置する。これに代え、フィルム１４６が膜１４０の前面１４０ａに取り付けられ、膜１４０・フロントカバー１１０間に位置する構成にしてもよい。更に、フィルム１４６を膜１４０と一体に形成してもよい。
【００６２】
モバイル電子通信装置１０には、他の装置（例．コンピュータ、スピーカ、充電器）との通信に関わるインタフェースや自装置１０に充電するためのインタフェースを１個又は複数個設けることができる。そのインタフェースが採りうる形態としては、ケーブル等を使用した電気的な直接接続（例．ＵＳＢケーブル接続）や無線接続（例．Ｗｉ−Ｆｉ、Ｂｌｕｅｔｏｏｔｈ（登録商標）等）をはじめ、様々な形態がある。図示例では、そうしたインタフェースのうち１個又は複数個、例えば電気的直接接続に係るインタフェースにアクセスできるよう、保護ケース１００が構成されている。具体的には、モバイル電子通信装置１０が保護ケース１００内の空洞１３５に収まっているとき、そのモバイル電子通信装置１０に備わるインタフェースに対し位置が揃うように、保護ケース１００にインタフェース孔１２９が設けられている。更に、そのインタフェース孔１２９には、インタフェース孔１２９を介しモバイル電子通信装置１０のインタフェースに至る随時アクセスが可能となるよう、ドア１２９ａ等が設けられている。開いたときにインタフェース孔１２９へのアクセスが可能であればよいので、ドア１２９ａは、ピボット型、スライド型等、様々な形態にすることができる。
【００６３】
モバイル電子通信装置１０には、そのユーザ入力インタフェースの一部を構成する操作子（例．ボタン、スイッチ）を１個又は複数個設けることができる。そうした操作子で実現可能な機能としては、例えばモバイル電子通信装置１０の電源オンオフ、モバイル電子通信装置１０のボリューム変更、鳴音／振動切替（例．モバイル電子通信装置１０のリンガ）、他種機能実行（例．ホームボタン）等がある。ボタンの大きさ、個数、配置及び機能は、そのモバイル電子通信装置１０の製造者やモデルにより変わってくる。
【００６４】
ここに、図示例では、モバイル電子通信装置１０が保護ケース１００内に入っている状態で、モバイル電子通信装置１０に備わる操作子（群）を操作できるように、保護ケース１００が構成されている。具体的には、モバイル電子通信装置１０に備わる操作子（群）を操作できるように、保護ケース１００上に相応の構成部材（群）乃至形状部分（群）が配されている。即ち、空洞１３５内に収まっているモバイル電子通信装置１０の操作子（群）に作用し、その操作子（群）に保護ケース１００外から機械的運動を伝えることができるよう、保護ケース１００上の相応位置に可動部材が配置されている。その可動部材の例は、保護ケース１００に備わり又は付する可撓乃至柔軟部材乃至部分である。例えば、加わった力をモバイル電子通信装置１０のホームボタン１１に伝えることができるよう、フロントカバー１１０内に可撓部材１１１が配されている。また、保護ケース１００外の機械的運動をモバイル電子通信装置１０に備わる操作子（群）に伝えることが可能な可動体、例えばプランジャ等も、可動部材として使用することができる。図示例では、加わった力がモバイル電子通信装置１０の電源ボタンに伝わるように、リアカバー１２０内にプランジャ１２７が配されている。更に、加わった力が対応するボタンに伝わるよう、リアカバー１２０内に、ボリュームアップボタン１３に対応する第１ボタンプランジャ１２３ａ及びボリュームダウンボタン１４に対応する第２ボタンプランジャ１２３ｂが配されている。これらの形態では、保護ケース１００の一部分をある方向に動かすと、モバイル電子通信装置１０の対応する操作子がそれと同一の即ち平行な方向に動くこととなる。また、モバイル電子通信装置１０に備わる操作子（群）にアクセスできるように、保護ケース１００を構成することもできる。例えば、モバイル電子通信装置１０に備わる操作子（群）にユーザがアクセスすること（例．作動させること）ができるように、保護ケース１００に孔を設けることができる。ご留意頂きたいことに、モバイル電子通信装置１０に備わる操作子（群）のタイプや個数は様々に定めることができ、またその操作子（群）に作用する保護ケース１００側の部材のタイプや個数も様々に定めることができる。例えば、モバイル電子通信装置１０に備わる操作子のうち複数個（例．ボリュームアップボタン１３及びボリュームダウンボタン１４）を作動させるべく保護ケース１００にピボット部材乃至ロッキング部材を設けてもよい。
【００６５】
図１Ａ〜図８Ｂに示す例では、保護ケース１００に可回動部材１２５が備わっている（複数個でもよい）。この部材１２５は、モバイル電子通信装置１０側の対応する操作子、例えば鳴音／振動切替（ＡＶ）スイッチ１２に機械（回転）運動を伝えるよう構成されている。そのスイッチ１２は、モバイル電子通信装置１０の直線次元（例．高さ次元）に対し直線的に運動するよう構成されている。具体的には、第１方向（例．モバイル電子通信装置１０の前面方向）に動かし第１ポジションＰ１にすると第１状態（例．オン）になり、その逆の第２方向（例．モバイル電子通信装置１０の背面方向）に動かし第２ポジションＰ２にすると第２状態（例．オフ）になるよう、ＡＶスイッチ１２が構成されている。
【００６６】
図示例の場合、可回動部材１２５は、その回動を通じＡＶスイッチ１２のポジションを少なくとも第１ポジションＰ１と第２ポジションＰ２との間で切り替えるように構成されている。可回動部材１２５の配設先は、リアカバー１２０の周壁１２０ａに設けた孔１３４内である。この孔１２４は、モバイル電子通信装置１０が空洞１３５内に収まっているときモバイル電子通信装置１０のＡＶスイッチ１２に可回動部材１２５が係合するように設けられている。即ち、可回動部材１２５は、リアカバー１２０（その他保護ケース１００の相応構成部分）に対し、ＡＶスイッチ１２が動く方向と交差する方向に延びる第１軸Ａ周りで、回動させることができる。
【００６７】
図示例の場合、可回動部材１２５は、自部材１２５の回動に応じ随時ＡＶスイッチ１２と係合する第１係合面２２４ａ及び第２係合面２２４ｂを有している。ＡＶスイッチ１２に第１係合面２２４ａ又は第２係合面２２４ｂが係合している状態で可回動部材１２５を更に回動させると、その可回動部材１２５の係合面２２４ａ，２２４ｂによって押される等してＡＶスイッチ１２が対応方向に動く。
【００６８】
即ち、図示例の場合、可回動部材１２５を第１方向Ｒ１（例．時計回り）に回動させるとＡＶスイッチ１２が第２方向に動いて第１状態（例．オン）から第２状態（例．オフ）に変わるよう、また可回動部材１２５を第２方向Ｒ２（例．反時計回り）に回動させるとＡＶスイッチ１２が第１方向に動いて第２状態から第１状態に変わるよう、可回動部材１２５が構成されている。
【００６９】
また、図示例の場合、少なくとも第１回動ポジションＡ１に達するまで第２方向Ｒ２に回動させうるよう、可回動部材１２５が構成されている。第１回動ポジションＡ１は、ＡＶスイッチ１２が第１状態（例．オン）になるポジション、即ちＡＶスイッチ１２の第１ポジションＰ１に対応している。図示例の場合、更に、少なくとも第２回動ポジションＡ２に達するまで第１方向Ｒ１に回動させうるよう、可回動部材１２５が構成されている。第２回動ポジションＡ２は、ＡＶスイッチ１２が第２状態（例．オフ）になるポジション、即ちＡＶスイッチ１２の第２ポジションＰ２に対応している。
【００７０】
図示例の可回動部材１２５は、更に、例えば第１回動ポジションＡ１及び第２回動ポジションＡ２を基準にした自可回動部材１２５のポジションを指し示すインジケータ１２５ａを有している。リアカバー１２０側には、第１回動ポジションＡ１（又は第２回動ポジションＡ２）の位置を指し示すマーカ乃至インジケータ１２６が設けられている（複数個設けてもよい）。回動ポジションＡ１，Ａ２はＡＶスイッチ１２の状態に対応しているので、ユーザは、可回動部材１２５の回動ポジションに基づきＡＶスイッチ１２の状態をたやすく判別することができる。例えば、インジケータ１２５ａの位置がマーカ１２６に揃っているのであれば、ユーザはＡＶスイッチ１２がオフであると判別することができる。
【００７１】
図示例の可回動部材１２５は、更に、自可回動部材１２５が第１方向Ｒ１乃至第２方向Ｒ２に回りすぎないようにするストップ部材２２６を有している。例えば、可回動部材１２５を第２方向Ｒ２に回動させると、リアカバー１２０内の第１ストップ面１３４ａにストップ部材２２６がいずれ係合する。係合している状態では、第１ストップ面１３４ａが妨げになるので、可回動部材１２５を同方向に回し続けることができない。同様に、可回動部材１２５を第１方向Ｒ１に回動させると、リアカバー１２０内の第２ストップ面１３４ｂにストップ部材２２６がいずれ係合する。係合している状態では、第２ストップ面１３４ｂが妨げになるので、可回動部材１２５を同方向に回し続けることができない。
【００７２】
図示例の可回動部材１２５は、第１部分１２５ａ及びそれと連結される第２部分１２５ｂを有している。第１部分１２５ａはヘッド部２１１及びネック部２１２を有しており、そのネック部２１２には第２部分１２５ｂの一部が収まる窪み２１３が設けられている。第２部分１２５ｂはボディ２２１及びタブ２２２を有しており、そのタブ２２２がネック部２１２の窪み２１３に収まったときに第１部分１２５ａ及び第２部分１２５ｂが連結されるように構成されている。第１部分１２５ａを第２部分１２５ｂに連結する手法としては様々な手法、例えばフリクションフィッティング、スナップフィッティング、接着剤、ファスナ、その組合せ等を使用することができる。こうした構成では、第１部分１２５ａを回動させると第２部分１２５ｂも回動する。可回動部材１２５は、このほか、単体型の構成や３個以上の部分を有する構成でも実現することができる。
【００７３】
以上、ＡＶスイッチ１２を作動させる可回動部材について説明したが、保護ケース１００に備わる他の１個又は複数個の部材乃至形状部分を以て、モバイル電子通信装置１０側の対応する操作子を作動させる可回動部材とすることもできる。
【００７４】
ご理解頂けるように、モバイル電子通信装置１０収容用の保護ケース１００について例示説明を行ったが、保護ケース１００に収容可能な物体は他にも多々あり得る。同じくご理解頂けるように、保護ケース１００は様々な形状、サイズ及び構成を採りうる。例えば、上述の実施形態では、保護ケース１００が複数個の部分例えばフロントカバー１１０及びリアカバー１２０に分かれており、その随時連結によってモバイル電子通信装置１０を覆い収容するようにしている。こうした構成に代え、フロントカバー１１０及びリアカバー１２０を単一の部材、例えば共有ヒンジ素子等で一体化された単一化部材や、屈曲によってハウジングを形成する単体部材にしてもよい。
【００７５】
モバイル電子通信装置１０が、リアカバー１２０内ではなくフロントカバー１１０内に収容される構成でもよい。膜１４０をフロントカバー１１０に直に取り付けてもよい。モバイル電子通信装置１０は、例えば、フロントカバー１１０及び膜１４０で画定される空洞内に収容され、モバイル電子通信装置１０の前面が膜１４０の下面上に配置、位置決めされる。膜１４０で保護ケース１００の前面、即ち保護ケース１００の最上面を形成してもよい。
【００７６】
なお、上述した諸実施形態はあくまで例であって、本発明の要旨を限定する趣旨のものではない。本発明はいかなる意味でも上掲の諸実施形態に限定されない。上掲の諸実施形態に対しては、本発明の技術的範囲を逸脱することなく様々な改変を施すことができる。本発明の技術的範囲は、上掲の諸実施形態ではなく別紙特許請求の範囲の記載によって示される。別紙特許請求の範囲の記載に対し均等な範囲に属する改変物も本発明の技術的範囲に属するものとする。
【図１Ａ】
2014179992.tif 000003
【図２】
2014179992.tif 000004
【図３Ａ】
2014179992.tif 000005
【図３Ｂ】
2014179992.tif 000006
【図４Ａ】
2014179992.tif 000007
【図４Ｂ】
2014179992.tif 000008
【図５Ａ】
2014179992.tif 000009
【図５Ｂ】
2014179992.tif 000010
【図５Ｃ】
2014179992.tif 000011
【図６Ａ】
2014179992.tif 000012
【図６Ｂ】
2014179992.tif 000013
【図６Ｃ】
2014179992.tif 000014
【図６Ｄ】
2014179992.tif 000015
【図９Ａ】
2014179992.tif 000016
【図９Ｂ】
2014179992.tif 000017
【図１Ｂ】
2014179992.tif 000018
【図７Ａ】
2014179992.tif 000019
【図７Ｂ】
2014179992.tif 000020
【図７Ｃ】
2014179992.tif 000021
【図８Ａ】
2014179992.tif 000022
【図８Ｂ】
2014179992.tif 000023
【図８Ｃ】
2014179992.tif 000024